(57)【特許請求の範囲】
【請求項１】
情報記録媒体に照射する書込み光を制御する光制御回路であって、
前記情報記録媒体に照射するための前記書込み光を射出する光源と、
前記書込み光を検出する検出手段と、
前記検出手段の出力に基づいて前記書込み光の時間的強度変化を示す信号を生成する第１の信号生成手段と、
書込み情報に基づいて記録信号を生成する第２の信号生成手段と、
前記第１の信号生成手段で生成される前記信号と第２の信号生成手段で生成される前記記録信号との位相差を検出する位相比較手段と、
前記位相比較手段の位相差検出出力に基づいて前記書込み情報の時間幅の情報を調整した補償情報を生成する調整手段と、
前記調整手段で生成された補償情報に基づいて前記光源を駆動することにより、補償情報に対応する書込み光を射出させる駆動手段と、を具備することを特徴とする光制御回路。
【請求項２】
前記書込み情報は、ライトパルスストラテジーに基づいて生成されたストラテジパターンの情報であることを特徴とする請求項１に記載の光制御回路。
【請求項３】
前記情報記録媒体は、ＤＶＤ-Ｒ又はＤＶＤ-ＲＷであることを特徴とする請求項１又は２に記載の光制御回路。
【発明の詳細な説明】
【０００１】
【発明の属する技術分野】
本発明は、例えば半導体レーザなどの光源を制御し、目的の光が得られるようにする光制御回路に関する。
【０００２】
【従来の技術】
従来、この種の光制御回路として、ＣＤ（Compact Disk）やＤＶＤ（Digital Video Disk又はDigital Versatile Disk）などの情報記録媒体に対して情報書込みを行うためのピックアップを制御するものが知られている。
【０００３】
この従来のピックアップを制御する光制御回路は、記録データの振幅変化に従って半導体レーザの駆動電力（より具体的には駆動電流）を短時間でオンオフ制御することにより時間幅の小さい矩形波状のレーザ光を射出させ、このレーザ光を書込み光として光学系を介して情報記録媒体に照射させるようになっている。
【０００４】
また、例えば、情報書込みが可能なＤＶＤ-Ｒ（追記型ＤＶＤ）やＤＶＤ-ＲＷ（書換え可能型ＤＶＤ）のような高密度の情報記録媒体に情報書込みを行う場合、記録膜に録再特性の良好なピットを書込み形成するために、ライトパルスストラテジーと呼ばれる制御を行っている。
【０００５】
図１０は、有機色素で形成された記録膜に情報を書き込むＤＶＤ-Ｒのライトパルスストラテジー、図１１は、相変化材料で形成された記録膜に情報を書き込むＤＶＤ-ＲＷのライトパルスストラテジーを示している。
【０００６】
図１０に示すように、ＤＶＤ-Ｒのライトパルスストラテジーでは、単に記録データの振幅変化に従って半導体レーザの駆動電流をオンオフ制御するのではなく、記録データに対応する半導体レーザへの駆動電流をパルス列で与え、更に、記録データの各記録マーク長に対応する書込み光を、トップパルスとマルチパルスに従って生じさせることとしている。
【０００７】
このＤＶＤ-Ｒのライトパルスストラテジーに基づいて半導体レーザの駆動電流を制御すると、記録膜である有機色素における熱干渉を抑制し、また、形成されるピットの後端部が熱の蓄積によって膨らんで涙滴形状になるのを防止することが可能となり、ひいてはジッターやクロストークの発生を防止することが可能となるため、録再特性の向上を図るのに有効な手段となっている。
【０００８】
つまり、一般的には、熱干渉が生じると記録マークのエッジにジッター成分が増え、また、ピットの後端部が膨らんで涙滴形状になると隣接トラックへのクロストークが増大するという問題を生じるが、このＤＶＤ-Ｒのライトパルスストラテジーによると、熱干渉とピットの後端部が涙滴形状になるのを防止して、ジッターやクロストークの発生を防止することを可能にしている。
【０００９】
ＤＶＤ-ＲＷのライトパルスストラテジーでは、図１１に示すように、記録データに対応する半導体レーザへの駆動電流をパルス列で与え、更に、記録データの各記録マーク長に対応する書込み光をトップパルスとマルチパルス及びクールパルスに従って生じさせることととしている。
【００１０】
このＤＶＤ-ＲＷのライトパルスストラテジーに基づいて半導体レーザの駆動電流を制御すると、トップパルスとマルチパルスに従ってレーザ光のパワーが記録パワーとバイアスパワーの間で変化し、その変化に応じて記録膜である相変化材料が溶融と冷却を繰り返すことでアモルファスが形成される。また、記録データのスペース部に相当する期間に消去パワーのレーザ光が照射されることで、相変化材料が結晶化される。こうして、トップパルスとマルチパルス及びクールパルスに基づいて半導体レーザの駆動電流を制御することにより、録再特性の向上を図ることが可能な記録ピットを形成するようにしている。
【００１１】
【発明が解決しようとする課題】
ところで、従来は、上記ライトパルスストラテジーなどによって書込み光の記録パワーを制御することで、高密度の情報記録媒体に対する録再特性の向上を図るようにしているが、半導体レーザの個体差や、環境変化の影響を受けてその半導体レーザの特性が変化するため、書込み光の記録パワーを目標パワーに設定することが困難になる場合があった。
【００１２】
例えば、同一の情報記録媒体に対して異なったピックアップによって情報書込みを行う場合、同一のストラテジパターンに従って各半導体レーザを駆動制御したとしても、各半導体レーザから射出されるレーザ光の波形（時間幅や強度など）が異なり、情報記録媒体に対する録再特性を均一にすることが困難になるという問題があった。より具体的に例示すると、同一のストラテジパターンに従って一方の半導体レーザから射出されるレーザ光が図１２（Ａ）に示すような波形、同一のストラテジパターンに従って他方の半導体レーザから射出されるレーザ光が図１２（Ｂ）に示すような波形となり、これらの立上り時間と立下り時間や射出期間Ｔａ，Ｔｂに違いが生じることで、情報記録媒体に対する録再特性が均一にならないという問題があった。
【００１３】
また、例えば同一の情報記録媒体に対して同一のピックアップによって情報書込みを行う場合、環境温度などの影響を受けて電気回路である光制御回路の特性や、半導体レーザの動作特性が変化してしまい、上記個体差の場合と同様に、情報記録媒体に対する録再特性を均一にすることが困難になるという問題があった。より具体的に例示すると、図１３に示すように、入力パルスに基づいて半導体レーザへの駆動電流を制御する場合、一般的に、環境温度の変化に伴って光制御回路の伝搬遅延時間（入力パルスに対して同相出力と反転出力が生成されるまでの時間）が変動し、更に、その伝搬遅延時間の立上り時間ｔPHLと立下り時間ｔPLHも変動する。そして、例えば立上り時間ｔPHLが大きくなり立下り時間ｔPLHが小さくなった場合には、半導体レーザを駆動するための駆動電流の時間幅が小さくなって、射出されるレーザ光の時間幅が目的の時間幅より小さくなるなどの問題が生じる。
【００１４】
また、環境温度の影響は、半導体レーザと光制御回路に対してだけでなく、例えば半導体レーザと光制御回路を動作させるための電源回路などの他の回路や電子部品にも及ぶ場合があり、結果的に半導体レーザから射出されるレーザ光の特性が不均一となって、情報記録媒体に対する録再特性を均一化することが困難になるという問題があった。
【００１５】
本発明は、こうした従来の課題を克服し、例えば半導体レーザなどの光源を制御して目的の光が得られるようにする光制御回路を提供することを目的とする。
【００１６】
また、より具体的な目的として、ＤＶＤ-ＲとＤＶＤ-ＲＷに情報書込みを行う際に適切なパワーの書込み光を生成するための光制御回路を提供する。
【００１７】
【課題を解決するための手段】
上記目的を達成するため本発明は、情報記録媒体に照射する書込み光を制御する光制御回路であって、上記情報記録媒体に照射するための上記書込み光を射出する光源と、上記書込み光を検出する検出手段と、上記検出手段の検出出力に基づいて上記書込み光の時間的強度変化を示す信号を生成する第１の信号生成手段と、書込み情報に基づいて記録信号を生成する第２の信号生成手段と、上記第１の信号生成手段で生成される上記信号と第２の信号生成手段で生成される上記記録信号との位相差を検出する位相比較手段と、上記位相比較手段の位相差検出出力に基づいて上記書込み情報の時間幅の情報を調整した補償情報を生成する調整手段と、上記調整手段で生成された補償情報に基づいて上記光源を駆動することにより、補償情報に対応する書込み光を射出させる駆動手段とを具備することを特徴とする。
【００１８】
また、上記書込み情報は、ライトパルスストラテジーに基づいて生成されたストラテジパターンの情報であることを特徴とする。
【００１９】
かかる構成の光制御回路によれば、光源から情報記録媒体に対して書込み光が照射されると、その書込み光を検出手段が検出し、更に第２の信号生成手段が、その書込み光の実際の時間的強度変化を示す信号を生成して出力する。また、第２の信号生成手段が、情報記録媒体に書き込むための本来の書き込み情報に対応する記録信号を生成して出力する。
【００２０】
位相比較手段が、書込み光の実際の時間的強度変化を示す信号と本来の書き込み情報に対応する記録信号との位相差を検出し、その位相差検出出力に基づいて調整手段が本来の書き込み情報の時間幅の情報を調整して補償情報を生成する。そして、駆動手段がこの補償情報に基づいて光源を駆動する。
【００２１】
これにより、光源や本光制御回路を構成する各構成要素の特性が、環境温度の変化や経年変化などの影響によって変化し、それに伴って実際の書込み光と本来の書き込み情報との間に誤差が生じた場合、本来の書き込み情報を実際の書込み光の変動分によって時間幅調整することにより、環境温度の変化や経年変化などの影響を受けないように光源を最適駆動して、情報記録媒体に対する録再特性の向上を図る。
【００２２】
また、書込み情報をライトパルスストラテジーに基づいて生成されたストラテジパターンの情報にすると、上記の環境温度の変化や経年変化などの影響を受けないように光源を最適駆動するためのストラテジパターンの書込み情報が生成される。すなわち、実際の書込み光とストラテジパターンの書き込み情報との間に誤差が生じた場合、位相比較手段が、ストラテジパターンの書き込み情報に対応する記録信号と実際の書込み光との位相差を検出し、その位相差検出出力に基づいて調整手段がストラテジパターンの書き込み情報の時間幅の情報を調整して補償情報を生成する。そして、駆動手段がこの補償情報に基づいて光源を駆動する。これにより、ライトパルスストラテジーに基づいて情報書き込みを行う場合にも、情報記録媒体に対する録再特性の向上を図ることを可能にする。また、情報記録媒体としてのＤＶＤ-ＲやＤＶＤ-ＲＷに対して、ライトパルスストラテジー制御による録再特性の向上を図ることを可能にする。
【００２３】
【発明の実施の形態】
以下、本発明の実施の形態を図１ないし図９を参照して説明する。
（第１の実施の形態）
図１は、情報記録媒体としてのＤＶＤ-Ｒに情報書込みを行うピックアップを備えた書込み装置に関し、そのピックアップに備えられている半導体レーザを制御する光制御回路１００の構成を示すブロック図である。
【００２４】
同図において、光制御回路１００は、上記のピックアップ４と、レーザ駆動部３と、記録パルス生成部２が備えられている。また、図示していないが、本書込み装置には、情報書込みの際に、ＤＶＤ-Ｒを所定のクランプ位置に保持しつつ所定の線速度で回転させるクランプ機構が備えられている。更に、書込み装置の動作を集中管理するためのマイクロプロセッサ（ＣＰＵ）を備えたマイクロコンピュータシステムが備えられている。
【００２５】
ここで、記録パルス生成部２は、後述する調整手段としての記録パルス調整用データ作成部１から供給される補償記録パルスデータＤ1に基づいて、記録パルス信号Ｄ2を生成し、レーザ駆動部３に供給する。すなわち、補償記録パルスデータＤ1は、記録パルス信号Ｄ2の少なくとも振幅と時間幅を指示するデータを含んで構成されており、この補償記録パルスデータＤ1が記録パルス生成部２に供給されると、指示された振幅と時間幅の記録パルス信号Ｄ2を生成して出力する。つまり、記録パルス生成部２は、デジタルデータである補償記録パルスデータＤ1に基づいて、記録パルス信号Ｄ2を生成して出力する。
【００２６】
レーザ駆動部３は、カレントミラー回路などから成る可変電流源を備えて構成されており、記録パルス信号Ｄ2の振幅変化に応じて可変電流源の出力電流（駆動電流）Ｄ3を制御する。これにより、記録パルス信号Ｄ2の振幅に比例した駆動電流Ｄ3をピックアップ４に供給する。
【００２７】
ピックアップ４には、光学系（図示省略）と、レーザ駆動部３からの駆動電流Ｄ3が供給される半導体レーザＬＤと、この半導体レーザＬＤに隣接して設けられたフォトダイオードなどの受光素子ＰＤが設けられている。そして、半導体レーザＬＤから射出されるレーザ光を上記光学系を介してＤＶＤ-Ｒの記録膜に照射することで情報書込みが行われる。また、上記の受光素子ＰＤは、半導体レーザＬＤから射出されるレーザ光の一部をリアルタイムで光検出し、その検出出力をモニタリング信号Ｄ4として出力する。すなわち、受光素子ＰＤは、ＤＶＤ-Ｒに照射されるレーザ光と等価なモニタリング信号Ｄ4を出力する。
【００２８】
更に、光制御回路１００には、記録パルス調整用データ作成部１の他、信号生成手段としての２値化回路５と、ストラテジデータ抽出部６、記録パルス生成部７、位相比較部８、ローパスフィルタ９、ゲイン調整部１０、Ａ／Ｄ変換器１１が備えられている。
【００２９】
２値化回路５は、モニタリング信号Ｄ4と、所定の定電圧電源によって生成された一定の参照電圧Ｖrefとを比較するコンパレータによって形成されており、モニタリング信号Ｄ4が参照電圧Ｖrefより高レベル（Ｄ4≧Ｖref）のときには論理“Ｈ”、モニタリング信号Ｄ4が参照電圧Ｖrefより低レベル（Ｄ4＜Ｖref）のときには論理“Ｌ”となる２値信号Ｄ5を生成して出力する。すなわち、２値化回路５は、実際に半導体レーザＬＤからＤＶＤ-Ｒに照射されるレーザ光の時間的強度変化を示す２値信号Ｄ5を生成して出力する。
【００３０】
ストラテジデータ抽出部６は、上記コンピュータシステムから供給されるストラテジパターンの記録データＤinを入力し、その記録データＤin中に含まれている図３に示すようなトップパルスとマルチパルスを抽出し、トップパルスとマルチパルスの各発生タイミングと時間幅及び振幅を示すデジタルデータＤ6を生成して出力する。
【００３１】
つまり、上記コンピュータシステムは、例えば音楽データやコンピュータプログラムなどのデジタルデータが供給されると、予め決められているライトパルスストラテジーに基づいて、そのデジタルデータを図３に示すようなストラテジパターンの記録データＤinに変換してストラテジデータ抽出部６に供給し、ストラテジデータ抽出部６は、ストラテジパターンの記録データＤinからトップパルスとマルチパルスの各発生タイミングと時間幅及び振幅を示すデジタルデータＤ6を生成して出力する。
【００３２】
尚、図３には、便宜上、記録データを２値信号として示しているが、実際には、記録データＤinは符号化されたデジタルデータとなっている。
【００３３】
また、ストラテジデータ抽出部６は、上記コンピュータシステムからのストラテジパターンの記録データＤinを記録パルス調整用データ作成部１にそのまま転送して供給するようになっている。
【００３４】
記録パルス生成部７は、ストラテジデータ抽出部６からのデジタルデータＤ6に基づいて、図３に示すような２値のトップパルスとマルチパルスを生成し、これらトップパルスとマルチパルスの信号を記録パルス信号Ｄ7として出力する。つまり、記録パルス生成部７は、予め決められているライトパルスストラテジーに基づいた理想的な場合の２値の記録パルス信号Ｄ7を生成して出力する信号生成手段となっている。
【００３５】
位相比較部８は、２値化回路５からの２値信号Ｄ5と、記録パルス生成部７からの記録パルス信号Ｄ7とのレベルを逐一比較し、信号Ｄ5とＤ7が共に論理“Ｈ”となる時間幅と、信号Ｄ5とＤ7が共に論理“Ｌ”となる時間幅を検出し、その検出信号Ｄ8を出力する。
【００３６】
すなわち、位相比較部８は、所謂デコーダ回路で形成されており、図２に示すように、２値信号Ｄ5が論理“Ｌ”且つ記録パルス信号Ｄ7が論理“Ｈ”のときには、論理“Ｈ”となる検出信号Ｄ8を出力し、２値信号Ｄ5と記録パルス信号Ｄ7が共に論理“Ｈ”のときには、論理“Ｌ”となる検出信号Ｄ8を出力し、２値信号Ｄ5が論理“Ｈ”且つ記録パルス信号Ｄ7が論理“Ｌ”のときには、論理“−Ｈ”となる検出信号Ｄ8を出力し、２値信号Ｄ5と記録パルス信号Ｄ7が共に論理“Ｌ”のときには、論理“Ｌ”となる検出信号Ｄ8を出力する。
【００３７】
尚、上記した論理“Ｈ”は正極性の所定電圧であり、論理“Ｌ”はグランド電位であり、論理“−Ｈ”は、論理“Ｈ”に対して負極性の電圧であって絶対値が等しい所定電圧となっている。
【００３８】
これにより、検出信号Ｄ8が論理“Ｈ”と論理“−Ｈ”になる間の論理“Ｌ”となる期間が、２値信号Ｄ5と記録パルス信号Ｄ7が共に論理“Ｈ”となる時間幅として検出される。また、検出信号Ｄ8が論理“−Ｈ”と論理“Ｈ”になる間の論理“Ｌ”となる期間が、２値信号Ｄ5と記録パルス信号Ｄ7が共に論理“Ｌ”となる時間幅として検出される。更に、検出信号Ｄ8が論理“−Ｈ”又は論理“Ｈ”となる期間によって、２値信号Ｄ5と記録パルス信号Ｄ7の位相差が検出されることになる。
【００３９】
ローパスフィルタ９は、検出信号Ｄ8を平滑化し、直流の平滑化信号Ｄ9を出力する。例えば、図２に示すように、検出信号Ｄ8の変化に応じた平滑化信号Ｄ9がグランドレベル（０〔Ｖ〕）を基準として出力される。
【００４０】
ゲイン調整部１０は、可変利得電圧増幅器などで形成されており、微少レベルの平滑化信号Ｄ9を信号処理可能なレベルまで増幅し、その増幅した平滑化信号Ｄ10を出力する。
【００４１】
Ａ／Ｄ変換器１１は、平滑化信号Ｄ10をアナログデジタル変換し、平滑化信号Ｄ10に比例した値の平滑化データＤ11を出力する。
【００４２】
そして、平滑化データＤ11が記録パルス調整用データ作成部１に供給されると、記録パルス調整用データ作成部１は、平滑化データＤ11によって記録データＤin中のトップパルスとマルチパルスのデータを補正し、補正した補償記録パルスデータＤ1を記録パルス生成部２に供給する。
【００４３】
記録パルス調整用データ作成部１は、次のようにして補償記録パルスデータＤ1を生成する。図３に示した記録データＤinがストラテジデータ抽出部６を経て記録パルス調整用データ作成部１に供給されると、Ａ／Ｄ変換器１１からの平滑化データＤ11の値に比例した時間幅の分だけ、記録データＤin中のトップパルスの終端部と各マルチパルスの終端部の各時間幅τa，τbをそれぞれ増減調整する。この増減調整をデジタル演算によって行い、その演算によって時間幅調整されたデータを補償記録パルスデータＤ1として記録パルス生成部２に供給する。
【００４４】
したがって、記録パルス生成部２からは、図３に示すように平滑化データＤ11の値に基づいて終端部分の時間幅τa，τbが調整されたトップパルスとマルチパルスを有する記録パルス信号Ｄ2が出力され、更に、レーザ駆動部３からも、この記録パルス信号Ｄ2と相似な波形の駆動電流Ｄ3が出力されて半導体レーザＬＤに供給される。
【００４５】
次に、かかる構成を有する光制御回路１００の動作を図２及び図３を参照して説明する。
図２において、ライトパルスストラテジーに基づく情報書込みの際に、レーザ駆動部３からの駆動電流Ｄ3に従って半導体レーザＬＤが情報書込み用のレーザ光を射出すると、受光素子ＰＤがこのレーザ光の一部を検出して、レーザ光の強度変化を示すモニタリング信号Ｄ4を出力する。このモニタリング信号Ｄ4は、２値化回路５において参照電圧Ｖrefと比較され、２値信号Ｄ5に変換されて位相比較部８に供給される。また、位相比較器８には、記録パルス生成部７からの理想的な場合の記録パルス信号Ｄ7が供給される。
【００４６】
ここで、位相比較器８は、理想的な場合の記録パルス信号Ｄ7と、実際に半導体レーザＬＤが射出した情報記録用のレーザ光から得られた２値信号Ｄ5との位相を比較することで位相差検出を行い、その位相差を示す検出信号Ｄ8を出力する。
【００４７】
そして、この検出信号Ｄ8をローパスフィルタ９が平滑化することによって平滑化信号Ｄ9を生成し、更にこの平滑化信号Ｄ9がゲイン調整部１０とＡ／Ｄ変換器１１を通り、平滑化データＤ11となって記録パルス調整用データ作成部１に供給される。
【００４８】
記録パルス調整用データ作成部１は、上記したように、記録データＤinを平滑化データＤ11に基づいて調整し、補償記録パルスデータＤ1を生成して記録パルス生成部２に供給する。
【００４９】
ここで、理想的な場合の記録パルス信号Ｄ7と記録データＤinは実質的に同じ情報の信号とデータであるため、記録データＤinを平滑化データＤ11に基づいて調整することは、理想的な場合の記録パルス信号Ｄ7を平滑化信号Ｄ10に基づいて調整すること等価となっている。
【００５０】
したがって、補償記録パルスデータＤ1を記録パルス生成部２に供給し、更に、補償記録パルスデータＤ1に基づいて記録パルス生成部２が生成する記録パルス信号Ｄ2をレーザ駆動部３に供給して、レーザ駆動部３から半導体レーザＬＤに駆動電流Ｄ3を供給する。すなわち、図３に示したように、トップパルスとマルチパルスの終端部の時間幅τa，τbが上記位相差に応じてフィードバック調整された駆動電流Ｄ3が半導体レーザＬＤに供給される。
【００５１】
これにより、環境温度などの変化の影響を受けて半導体レーザＬＤの特性が変化したり、環境温度などの変化の影響を受けて本制御回路１００を構成している電子素子の電気特性が変化したり、半導体レーザＬＤや上記電子素子が経年変化するような場合であっても、上記のフィードバック調整によってトップパルスとマルチパルスの終端部の時間幅τa，τbを調整して、調整した駆動電流Ｄ3によって半導体レーザＬＤの発光時間幅を適切に制御することによって、ＤＶＤ-Ｒに設けられている有機色素（記録膜）における熱干渉を抑制し、また、形成されるピットの後端部が膨らんで涙滴形状になる等の問題を未然に防止することができる。
【００５２】
また、個体差のある半導体レーザＬＤを用いて書込み装置を製造する場合でも、上記のフィードバック調整によって調整された駆動電流Ｄ3によって各半導体レーザＬＤを駆動することにより、個体差の影響を抑制して、ＤＶＤ-Ｒに対する録再特性を均一化することができる。そして、品質が均一な書込み装置を提供することが可能となる。
（第２の実施の形態）
次に、本発明の第２の実施形態を図４、図５を参照して説明する。
図４は、本実施形態の光制御回路２００の構成を示すブロック図であり、同図において図１と同一又は相当する部分を同一符号で示している。
【００５３】
図４に示す光制御回路２００と図１に示した光制御回路１００との相違点を述べると、光制御回路２００には、信号生成手段としてのトップパルス生成部７ａとマルチパルス生成部７ｂが備えられ、更に、これらトップパルス生成部７ａとマルチパルス生成部７ｂに続けて、位相比較部８ａ，８ｂ、ローパスフィルタ９ａ，９ｂ、ゲイン調整部１０ａ，１０ｂ、Ａ／Ｄ変換器１１ａ，１１ｂが接続されている。
【００５４】
更に、トップパルスゲート生成部１２ａと、マルチパルスゲート生成部１２ｂと、ＡＮＤ回路１３ａ，１３ｂが備えられている。
【００５５】
ここで、本実施形態のストラテジデータ抽出部６は、ストラテジパターンの記録データＤinを入力し、その記録データＤin中に含まれている図３に示したようなトップパルスとマルチパルスを抽出し、トップパルスの発生タイミングと時間幅及び振幅を示すデジタルデータＤ6aと、マルチパルスの発生タイミングと時間幅及び振幅を示すデジタルデータＤ6bを生成して出力する。
【００５６】
トップパルス生成部７ａは、ストラテジデータ抽出部６からのデジタルデータＤ6aに基づいて、図３に示したようなトップパルスだけを生成し、記録トップパルス信号Ｄ7aとして出力する。つまり、トップパルス生成部７ａは、予め決められているライトパルスストラテジーに基づいた理想的な場合の記録トップパルス信号Ｄ7aを生成して出力する。
【００５７】
マルチパルス生成部７ｂは、ストラテジデータ抽出部６からのデジタルデータＤ6bに基づいて、図３に示したようなマルチパルスだけを生成し、記録マルチパルス信号Ｄ7bとして出力する。つまり、マルチパルス生成部７ｂは、予め決められているライトパルスストラテジーに基づいた理想的な場合の記録マルチパルス信号Ｄ7bを生成して出力する。
【００５８】
トップパルスゲート生成部１２ａは、ストラテジデータ抽出部６からのトップパルスゲートデータＤＧaを入力し、そのデータＤＧaに基づいて記録トップパルス信号Ｄ7aに同期したトップパルスゲート信号Ｄ12aを生成して出力する。つまり、ストラテジデータ抽出部６は、トップパルスを示すデジタルデータＤ6aと共に、トップパルスゲートデータＤＧaを出力し、このトップパルスゲートデータＤＧaは、記録トップパルス信号Ｄ7aの発生期間を示すデータとなっている。
【００５９】
そして、トップパルスゲート生成部１２ａは、トップパルスゲートデータＤＧaに基づいて、図５（Ａ）に示すように、記録トップパルス信号Ｄ7aの発生期間を包含する期間ＷＴにおいて論理“Ｈ”となるトップパルスゲート信号Ｄ12aを生成して出力する。
【００６０】
マルチパルスゲート生成部１２ｂは、ストラテジデータ抽出部６からのマルチパルスゲートデータＤＧbを入力し、そのデータＤＧbに基づいてマルチパルス信号Ｄ7bに同期したマルチパルスゲート信号Ｄ12bを生成して出力する。つまり、ストラテジデータ抽出部６は、デジタルデータＤ6bと共にマルチパルスゲートデータＤＧbを出力し、このマルチパルスゲートデータＤＧbは、記録マルチパルス信号Ｄ7bの発生期間を示すデータとなっている。
【００６１】
そして、マルチパルスゲート生成部１２ｂは、マルチパルスゲートデータＤＧbに基づいて、図５（Ｂ）に示すように、記録マルチパルス信号Ｄ7bの発生期間を包含する期間ＷＭにおいて論理“Ｈ”となるマルチパルスゲート信号Ｄ12bを生成して出力する。
【００６２】
ＡＮＤ回路１３ａは、２値化回路５からの２値信号Ｄ5とトップパルスゲート信号Ｄ12aとの論理積を求めることで、２値信号Ｄ5中に含まれているトップパルスの成分を示す２値信号（以下、「トップ検出信号」という）Ｄａを生成して出力する。
【００６３】
ＡＮＤ回路１３ｂは、２値化回路５からの２値信号Ｄ5とマルチパルスゲート信号Ｄ12bとの論理積を求めることで、２値信号Ｄ5中に含まれているマルチパルスの成分を示す２値信号（以下、「マルチ検出信号」という）Ｄｂを生成して出力する。
【００６４】
位相比較部８ａとローパスフィルタ９ａとゲイン調整部１０ａとＡ／Ｄ変換器１１ａを備えて構成された第１の経路と、位相比較部８ｂとローパスフィルタ９ｂとゲイン調整部１０ｂとＡ／Ｄ変換器１１ｂを備えて構成された第２の経路は、基本的に同じ構成となっている。更に、これら第１，第２の経路は、図１に示した位相比較部８とローパスフィルタ９とゲイン調整部１０とＡ／Ｄ変換器１１を備えた経路と同様の構成となっている。
【００６５】
そして、位相比較部８ａは、記録トップパルス信号Ｄ7aとトップ検出信号Ｄａとの位相差を検出してその検出信号Ｄ8aを出力し、ローパスフィルタ９ａは検出信号Ｄ8aを平滑化した平滑化信号Ｄ9aを出力し、ゲイン調整部１０ａは平滑化信号Ｄ9aを信号処理可能なレベルの平滑化信号Ｄ10aに増幅して出力し、Ａ／Ｄ変換器１１ａは平滑化信号Ｄ10aをデジタルの平滑化データＤ11aに変換して記録パルス調整用データ作成部１へ供給する。
【００６６】
また、位相比較部８ｂは、記録マルチパルス信号Ｄ7bとマルチ検出信号Ｄｂとの位相差を検出してその検出信号Ｄ8bを出力し、ローパスフィルタ９bは検出信号Ｄ8bを平滑化した平滑化信号Ｄ9bを出力し、ゲイン調整部１０bは平滑化信号Ｄ9bを信号処理可能なレベルの平滑化信号Ｄ10bに増幅して出力し、Ａ／Ｄ変換器１１bは平滑化信号Ｄ10bをデジタルの平滑化データＤ11bに変換して記録パルス調整用データ作成部１へ供給する。
【００６７】
次に、かかる構成を有する光制御回路２００の動作を図５を参照して説明する。尚、図５（Ａ）は、トップパルスに対する補正処理を説明するためのタイミングチャート、図５（Ｂ）は、マルチパルスに対する補正処理を説明するためのタイミングチャートである。
【００６８】
ライトパルスストラテジーに基づく情報書込みの際に、レーザ駆動部３からの駆動電流Ｄ3に従って半導体レーザＬＤが情報書込み用のレーザ光を射出すると、受光素子ＰＤがこのレーザ光の一部を検出して、図５（Ａ）に示すようなレーザ光の強度変化を示すモニタリング信号Ｄ4を出力する。更に、このモニタリング信号Ｄ4は、２値化回路５において参照電圧Ｖrefと比較され、図５（Ａ）（Ｂ）に示すように２値信号Ｄ5に変換されてＡＮＤ回路１３ａ，１３ｂに供給される。
【００６９】
また、ＡＮＤ回路１３ａ，１３ｂには、トップパルスゲート信号Ｄ12aとマルチパルスゲート信号Ｄ12bが供給される。これにより、図５（Ａ）に示すように、ＡＮＤ回路１３ａからは、トップパルスゲート信号Ｄ12aと２値信号Ｄ5との論理積を示すトップ検出信号Ｄａが出力されて位相比較部８aに供給される。また、図５（Ｂ）に示すように、ＡＮＤ回路１３ｂからは、マルチパルスゲート信号Ｄ12bと２値信号Ｄ5との論理積を示すマルチ検出信号Ｄｂが出力されて位相比較部８ｂに供給される。
【００７０】
位相比較部８ａでは、トップ検出信号Ｄａと記録トップパルス信号Ｄ7aとの位相差を検出し、図５（Ａ）に示すような検出信号Ｄ8aを出力する。そして、この検出信号Ｄ8aが平滑化されて平滑化信号Ｄ9a，Ｄ10aとなり、更に、平滑化データＤ11aとなって記録パルス調整用データ作成部１に供給される。
【００７１】
また、位相比較部８ｂでは、マルチ検出信号Ｄｂと記録マルチパルス信号Ｄ7bとの位相差を検出し、図５（Ｂ）に示すような検出信号Ｄ8bを出力する。そして、この検出信号Ｄ8bが平滑化されて平滑化信号Ｄ9b，Ｄ10bとなり、更に、平滑化データＤ11bとなって記録パルス調整用データ作成部１に供給される。
【００７２】
記録パルス調整用データ作成部１では、記録データＤinに含まれているトップパルスのデータを平滑化データＤ11aに基づいて調整すると共に、記録データＤinに含まれているマルチパルスのデータを平滑化データＤ11bに基づいて調整する。これにより、図３に示したのと同様に、トップパルスの終端部の時間幅τaとマルチパルスの終端部の時間幅τbを調整した補償記録パルスデータＤ1が生成されて記録パルス生成部２に供給される。
【００７３】
そして、記録パルス生成部２が補償記録パルスデータＤ1に基づいて記録パルス信号Ｄ2を生成してレーザ駆動部３に供給し、レーザ駆動部３から半導体レーザＬＤに駆動電流Ｄ3が供給されることで、半導体レーザＬＤからは補償記録パルスデータＤ1に従ったレーザ光が射出される。
【００７４】
このように本実施形態によれば、上記第１の実施形態と同様に、半導体レーザＬＤの特性や本光制御回路２００を構成している電子素子の特性が、環境温度などの変化や経年変化の影響によって変化した場合でも、上記のフィードバック調整によってトップパルスとマルチパルスの終端部の時間幅τa，τbを調整し、調整した駆動電流Ｄ3によって半導体レーザＬＤの発光時間幅を適切に制御することで、ＤＶＤ-Ｒに設けられている有機色素（記録膜）における熱干渉を抑制し、また、形成されるピットの後端部が膨らんで涙滴形状になる等の問題を未然に防止することができる。
【００７５】
また、個体差のある半導体レーザＬＤを用いて書込み装置を製造する場合でも、上記のフィードバック調整によって調整された駆動電流Ｄ3によって各半導体レーザＬＤを駆動することにより、個体差の影響を抑制して、ＤＶＤ-Ｒに対する録再特性を均一化することができる。そして、品質が均一な書込み装置を提供することが可能となる。
（第３の実施の形態）
次に、第３の実施形態を図６、図７及び図８を参照して説明する。
図６は、本実施形態の光制御回路３００の構成を示すブロック図であり、同図において図４と同一又は相当する部分を同一符号で示している。また、本実施形態の光制御回路３００は、例えば図１１に示したライトパルスストラテジーに基づいてＤＶＤ-ＲＷへの書込み光を制御するものである。
【００７６】
図６に示す本実施形態の光制御回路３００と図４に示した光制御回路２００との相違点を述べると、光制御回路３００には、トップパルス生成部７ａとマルチパルス生成部部７ｂに加えて、クールパルス生成部７ｃが備えられている。
更に、クールパルス生成部７ｃに続けて、位相比較部８ｃ、ローパスフィルタ９ｃ、ゲイン調整部１０ｃ、Ａ／Ｄ変換器１１ｃが接続されている。
更に又、クールパルスゲート生成部１２ｃと、２個の２値化回路５ab，５ｃと、ＡＮＤ回路１３ｃが備えられている。
【００７７】
ここで、本実施形態のストラテジデータ抽出部６は、ストラテジパターンの記録データＤinを入力し、その記録データＤin中に含まれている図８に示すようなトップパルスとマルチパルス及びクールパルスを抽出し、トップパルスの発生タイミングと時間幅及び振幅を示すデジタルデータＤ6aと、マルチパルスの発生タイミングと時間幅及び振幅を示すデジタルデータＤ6bと、クールパルスの発生タイミングと時間幅及び振幅を示すデジタルデータＤ6cとを生成して出力する。
【００７８】
クールパルス生成部７ｃは、ストラテジデータ抽出部６からのデジタルデータＤ6cに基づいてクールパルスだけを生成し、記録クールパルス信号Ｄ7cとして出力する。また、トップパルス生成部７ａとマルチパルス生成部７ｂは、ストラテジデータ抽出部６からのデジタルデータＤ6aとＤ6bに基づいて、トップパルスとマルチパルスをそれぞれ個別に生成し、生成した信号を記録トップパルス信号Ｄ7aと記録マルチパルス信号Ｄ7bとして出力する。
【００７９】
クールパルスゲート生成部１２ｃは、ストラテジデータ抽出部６からのクールパルスゲートデータＤＧcを入力し、そのデータＤＧcに基づいてクールパルス信号Ｄ7cに同期したクールパルスゲート信号Ｄ12cを生成して出力する。
【００８０】
つまり、ストラテジデータ抽出部６は、デジタルデータＤ6cと共にクールパルスゲートデータＤＧcを出力し、このクールパルスゲートデータＤＧcは、記録クールパルス信号Ｄ7cの発生期間を示すデータとなっている。
【００８１】
そして、クールパルスゲート生成部１２ｃは、クールパルスゲートデータＤＧcに基づいて、記録クールパルス信号Ｄ7cの発生期間を包含する期間ＷＣにおいて論理“Ｈ”となるクールパルスゲート信号Ｄ12cを生成して出力する。
【００８２】
２値化回路５abは、非反転入力端子に供給されるモニタリング信号Ｄ4と反転入力端子に供給される一定の参照電圧Ｖref1とを逐一比較し、図７（Ａ）（Ｂ）に示すように、モニタリング信号Ｄ4が参照電圧Ｖref1より高レベル（Ｄ4≧Ｖref1）のときは論理“Ｈ”、モニタリング信号Ｄ4が参照電圧Ｖref1より低レベル（Ｄ4＜Ｖref1）のときは論理“Ｌ”となる２値信号Ｄ5abを出力する。
【００８３】
２値化回路５ｃは、反転入力端子に供給されるモニタリング信号Ｄ4と非反転入力端子に供給される一定の参照電圧Ｖref2とを逐一比較し、図７（Ｃ）に示すように、モニタリング信号Ｄ4が参照電圧Ｖref2より高レベル（Ｄ4≧Ｖref2）のときは論理“Ｌ”、モニタリング信号Ｄ4が参照電圧Ｖref1より低レベル（Ｄ4＜Ｖref1）のときは論理“Ｈ”となる２値信号Ｄ5cを出力する。
【００８４】
尚、参照電圧Ｖref1とＶref2との電圧関係は、Ｖref1＞Ｖref2に設定されている。更に、図１１に示した消去パワーのレーザ光が照射されるときに得られるモニタリング信号Ｄ4の電圧レベルをＶD4とすると、Ｖref1＞ＶD4＞Ｖref2の関係に設定されている。
【００８５】
ＡＮＤ回路１３ａは、２値化回路５abからの２値信号Ｄ5abとトップパルスゲート信号Ｄ12aとの論理積を求めることで、図７（Ａ）に示すように、２値信号Ｄ5ab中に含まれているトップパルスの成分を示す２値信号（トップ検出信号）Ｄａを生成し位相比較部８ａに供給する。
【００８６】
ＡＮＤ回路１３ｂは、２値化回路Ｄ5abからの２値信号Ｄ5abとマルチパルスゲート信号Ｄ12bとの論理積を求めることで、図７（Ｂ）に示すように、２値信号Ｄ5ab中に含まれているマルチパルスの成分を示す２値信号（マルチ検出信号）Ｄｂを生成し位相比較部８ｂに供給する。
【００８７】
ＡＮＤ回路１３ｃは、２値化回路５ｃからの２値信号Ｄ5cとクールパルスゲート信号Ｄ12cとの論理積を求めることで、図７（Ｃ）に示すように、２値信号Ｄ5c中に含まれているマルチパルスの成分を示す２値信号（クール検出信号）Ｄｃを生成し位相比較部８ｃに供給する。
【００８８】
位相比較部８ｃとローパスフィルタ９ｃとゲイン調整部１０ｃとＡ／Ｄ変換器１１ｃを備えて構成された第３の経路は、位相比較部８ａとローパスフィルタ９ａとゲイン調整部１０ａとＡ／Ｄ変換器１１ａを備えて構成された第１の経路と、位相比較部８ｂとローパスフィルタ９ｂとゲイン調整部１０ｂとＡ／Ｄ変換器１１ｂを備えて構成された第２の経路と基本的に同じ構成となっている。
【００８９】
ここで、第１の経路と第２の経路の構成は、上記第２の実施形態と同様であるので、位相比較部８ａからは、図７（Ａ）に示すような記録トップパルス信号Ｄ7aとトップ検出信号Ｄａとの位相差を示す検出信号Ｄ8aが出力され、位相比較部８ｂからは、図７（Ｂ）に示すような記録マルチパルス信号Ｄ7bとマルチ検出信号Ｄｂとの位相差を示す検出信号Ｄ8bが出力され、更に、これらの検出信号Ｄ8a，Ｄ8bをそれぞれ平滑化することで得られる平滑化データＤ11a，Ｄ11bが記録パルス調整用データ作成部１に供給される。
【００９０】
また、第３の経路に設けられている位相比較部８ｃは、記録クールパルス信号Ｄ7cとクール検出信号Ｄｃとの位相差を検出してその検出信号Ｄ8cを出力し、ローパスフィルタ９ｃは検出信号Ｄ8cを平滑化した平滑化信号Ｄ9cを出力し、ゲイン調整部１０ｃは平滑化信号Ｄ9cを信号処理可能なレベルの平滑化信号Ｄ10cに増幅して出力し、Ａ／Ｄ変換器１１ｃは平滑化信号Ｄ10cをデジタルの平滑化データＤ11cに変換して記録パルス調整用データ作成部１へ供給する。
【００９１】
次に、かかる構成を有する光制御回路３００の動作を図７及び図８を参照して説明する。尚、図７（Ａ），（Ｂ），（Ｃ）は、それぞれトップパルスとマルチパルスとクールパルスに対する補正処理を説明するためのタイミングチャートである。
【００９２】
ライトパルスストラテジーに基づく情報書込みの際に、レーザ駆動部３からの駆動電流Ｄ3に従って半導体レーザＬＤが情報書込み用のレーザ光を射出すると、受光素子ＰＤがこのレーザ光の一部を検出して、図７（Ａ）に示すようなレーザ光の強度変化を示すモニタリング信号Ｄ4を出力する。
【００９３】
更に、このモニタリング信号Ｄ4は、２値化回路５abにおいて参照電圧Ｖref1と比較され、図７（Ａ）（Ｂ）に示すように２値信号Ｄ5abに変換されてＡＮＤ回路１３ａ，１３ｂに供給されると共に、２値化回路５ｃにおいて参照電圧Ｖref2と比較され、図７（Ｃ）に示すように２値信号Ｄ5cに変換されてＡＮＤ回路１３ｃに供給される。
【００９４】
そして、ＡＮＤ回路１３ａからは、図７（Ａ）に示すように、トップパルスゲート信号Ｄ12aと２値信号Ｄ5abとの論理積を示すトップ検出信号Ｄａが出力されて位相比較部８ａに供給される。また、ＡＮＤ回路１３ｂからは、図７（Ｂ）に示すように、マルチパルスゲート信号Ｄ12bと２値信号Ｄ5abとの論理積を示すマルチ検出信号Ｄｂが出力されて位相比較部８ｂに供給される。また、ＡＮＤ回路１３ｃからは、図７（Ｃ）に示すように、クールパルスゲート信号Ｄ12cと２値信号Ｄ5cとの論理積を示すクール検出信号Ｄｃが出力されて位相比較部８ｃに供給される。
【００９５】
位相比較部８ａでは、トップ検出信号Ｄａと記録トップパルス信号Ｄ7aとの位相差を検出し、図７（Ａ）に示すような検出信号Ｄ8aを出力する。そして、この検出信号Ｄ8aが平滑化されて平滑化信号Ｄ9a，Ｄ10aとなり、更に、平滑化データＤ11aとなって記録パルス調整用データ作成部１に供給される。
【００９６】
また、位相比較部８ｂでは、マルチ検出信号Ｄｂと記録マルチパルス信号Ｄ7bとの位相差を検出し、図７（Ｂ）に示すような検出信号Ｄ8bを出力する。そして、この検出信号Ｄ8bが平滑化されて平滑化信号Ｄ9b，Ｄ10bとなり、更に、平滑化データＤ11bとなって記録パルス調整用データ作成部１に供給される。
【００９７】
また、位相比較部８ｃでは、クール検出信号Ｄｃと記録クールパルス信号Ｄ7cとの位相差を検出し、図７（Ｃ）に示すような検出信号Ｄ8cを出力する。そして、この検出信号Ｄ8cが平滑化されて平滑化信号Ｄ9c，Ｄ10cとなり、更に、平滑化データＤ11cとなって記録パルス調整用データ作成部１に供給される。
【００９８】
記録パルス調整用データ作成部１では、記録データＤinに含まれているトップパルスのデータを平滑化データＤ11aに基づいて調整すると共に、記録データＤinに含まれているマルチパルスのデータを平滑化データＤ11bに基づいて調整し、更に、記録データＤinに含まれているクールパルスのデータを平滑化データＤ11cに基づいて調整する。
【００９９】
これにより、図８に示すように、トップパルスの終端部の時間幅τaと、マルチパルスの終端部の時間幅τbと、クールパルスの終端部の時間幅τcとを調整した補償記録パルスデータＤ1が生成されて記録パルス生成部２に供給される。
【０１００】
そして、記録パルス生成部２が補償記録パルスデータＤ1に基づいて記録パルス信号Ｄ2を生成してレーザ駆動部３に供給し、レーザ駆動部３から半導体レーザＬＤに駆動電流Ｄ3が供給されることで、半導体レーザＬＤからは補償記録パルスデータＤ1に従ったレーザ光が射出される。
【０１０１】
このように本実施形態によれば、半導体レーザＬＤの特性や本光制御回路３００を構成している電子素子の特性が、環境温度など影響や経年変化の影響に伴って変化した場合でも、上記のフィードバック調整によってトップパルスとマルチパルス及びクールパルスの終端部の時間幅τa，τb，τcを調整し、調整した駆動電流Ｄ3によって半導体レーザＬＤの発光時間幅を適切に制御することで、ＤＶＤ-ＲＷに設けられている相変化材料（記録膜）における熱干渉を抑制し、また、形成されるピットを適切な形状に形成することができる。
【０１０２】
また、個体差のある半導体レーザＬＤを用いて書込み装置を製造する場合でも、上記のフィードバック調整によって調整された駆動電流Ｄ3によって各半導体レーザＬＤを駆動することにより、個体差の影響を抑制して、ＤＶＤ-ＲＷに対する録再特性を均一化することができる。そして、品質が均一な書込み装置を提供することが可能となる。
（第４の実施の形態）
次に、第４の実施形態を図９を参照して説明する。尚、図９は、本実施形態の光制御回路４００の構成を示すブロック図であり、図９において図６と同一又は相当する部分を同一符号で示している。また、ＤＶＤ-ＲＷを図１１に示したライトパルスストラテジーに対応した制御を行う光制御回路４００を示している。
【０１０３】
図９に示す本実施形態の光制御回路４００と図６に示した光制御回路３００と相違点を述べると、図６に示したトップパルス生成部７ａとマルチパルス生成部７ｂとクールパルス生成部７ｃに該当する部分が、それぞれトップパルス幅取得部７aaとマルチパルス幅取得部７bbとクールパルス幅取得部７ccとなっている。
【０１０４】
更に、図６に示した位相比較部８ａ〜８ｃと、ローパスフィルタ９ａ〜９ｃと、ゲイン調整部１０ａ〜１０ｃと、Ａ／Ｄ変換器１１ａ〜１１ｃは、パルス幅カウンタ１４ａ〜１４ｃと数値比較部１５ａ〜１５ｃとなっている。
【０１０５】
ここで、トップパルス幅取得部７aaは、ストラテジデータ抽出部６より供給されるトップパルスの発生タイミングと時間幅及び振幅を示すデジタルデータＤ6aから、トップパルスの発生タイミングと時間幅を示すデータを取得し、その時間幅を示す時間幅データＤ7aを生成して数値比較部１５ａに供給する。
【０１０６】
また、マルチパルス幅取得部７bbは、ストラテジデータ抽出部６より供給されるマルチパルスの発生タイミングと時間幅及び振幅を示すデジタルデータＤ6bから、マルチパルスの発生タイミングと時間幅を示すデータを取得し、その時間幅を示す時間幅データＤ7bを生成して数値比較部１５ｂに供給する。
【０１０７】
また、クールパルス幅取得部７ccは、ストラテジデータ抽出部６より供給されるクールパルスの発生タイミングと時間幅及び振幅を示すデジタルデータＤ6cから、クールパルスの発生タイミングと時間幅を示すデータを取得し、その時間幅を示す時間幅データＤ7cを生成して数値比較部１５ｃに供給する。
【０１０８】
パルス幅カウンタ１４ａ〜１４ｃは、いずれも所定周波数のクロック信号ＣＫに同期して計数動作するカウンタで形成されている。尚、このクロック信号ＣＫは、上記マイクロコンピュータシステムから記録データＤinが供給されるタイミングと同期している。
【０１０９】
そして、パルス幅カウンタ１４ａは、ＡＮＤ回路１３ａより供給されるトップ検出信号Ｄａ（図７（Ａ）に示したトップ検出信号Ｄａを参照）が継続して論理“Ｈ”となる時間幅をクロック信号ＣＫに基づいて計数し、その計数値データＤ14aを数値比較部１５ａに供給する。
【０１１０】
また、パルス幅カウンタ１４ｂは、ＡＮＤ回路１３ｂより供給されるマルチ検出信号Ｄｂ（図７（Ｂ）に示したマルチ検出信号Ｄｂを参照）が継続して論理“Ｈ”となる時間幅をクロック信号ＣＫに基づいて計数し、その計数値データＤ14bを数値比較部１５ｂに供給する。
【０１１１】
また、パルス幅カウンタ１４ｃは、ＡＮＤ回路１３ｃより供給されるクール検出信号Ｄｃ（図７（Ｃ）に示したクール検出信号Ｄｃを参照）が継続して論理“Ｈ”となる時間幅をクロック信号ＣＫに基づいて計数し、その計数値データＤ14cを数値比較部１５ｃに供給する。
【０１１２】
数値比較部１５ａ〜１５ｃは、いずれもデジタル減算器で形成されている。
そして、数値比較部１５ａは、計数値データＤ14aと時間幅データＤ7aとの差分を演算することにより、トップ検出信号Ｄａと理想的な場合のトップパルスとの位相差を示す差分データＤ15aを求めて記録パルス調整用データ作成部１に供給する。
【０１１３】
また、数値比較部１５ｂは、計数値データＤ14bと時間幅データＤ7bとの差分を演算することにより、マルチ検出信号Ｄｂと理想的な場合のマルチパルスとの位相差を示す差分データＤ15bを求めて記録パルス調整用データ作成部１に供給する。
【０１１４】
また、数値比較部１５ｃは、計数値データＤ14cと時間幅データＤ7cとの差分を演算することにより、クール検出信号Ｄｃと理想的な場合のクールパルスとの位相差を示す差分データＤ15cを求めて記録パルス調整用データ作成部１に供給する。
【０１１５】
次に、かかる構成を有する光制御回路４００の動作を図９を参照して説明する。
また、図７及び図８を適宜参照して説明する。
【０１１６】
ライトパルスストラテジーに基づく情報書込みの際に、レーザ駆動部３からの駆動電流Ｄ3に従って半導体レーザＬＤが情報書込み用のレーザ光を射出すると、受光素子ＰＤがこのレーザ光の一部を検出して、図７に示したようにレーザ光の強度変化を示すモニタリング信号Ｄ4を出力する。更に、２値化回路５ab，５ｃが、モニタリング信号Ｄ4に基づいて２値信号Ｄ5ab，５ｃを生成して出力し、ＡＮＤ回路１３ａ〜１３ｃからは、トップ検出信号Ｄａとマルチ検出信号Ｄｂとクール検出信号Ｄｃが出力される。
【０１１７】
これらトップ検出信号Ｄａとマルチ検出信号Ｄｂとクール検出信号Ｄｃがそれぞれ継続して論理“Ｈ”となる時間幅をパルス幅カウンタ１４ａ〜１４ｃがそれぞれ計数することにより、半導体レーザＬＤから射出された実際のトップパルスとマルチパルスとクールパルスのレーザ光の各時間幅を示す計数データＤ14a〜Ｄ14cが生成される。
【０１１８】
この時間幅を示す計数データＤ14a〜Ｄ14cに対して、トップパルス幅取得部７aaとマルチパルス幅取得部７bbとクールパルス幅取得部７ccからは、理想的な場合のトップパルスとマルチパルスとクールパルスの各時間幅を示す時間幅データＤ7a〜Ｄ7cが出力される。
【０１１９】
このため、数値比較部１５ａ〜１５ｃが、時間幅データＤ7a〜Ｄ7cと計数データＤ14a〜Ｄ14cのそれぞれの差分を演算することにより、理想的なトップパルスとマルチパルスとクールパルスの各時間幅と実際のトップパルスとマルチパルスとクールパルスのレーザ光の各時間幅との位相差を示す差分データＤ15a〜Ｄ15cが生成される。
【０１２０】
記録パルス調整用データ作成部１では、記録データＤinに含まれているトップパルスのデータを差分データＤ15aに基づいて調整すると共に、記録データＤinに含まれているマルチパルスのデータを差分データＤ15bに基づいて調整し、更に、記録データＤinに含まれているクールパルスのデータを差分データＤ15cに基づいて調整する。
【０１２１】
これにより、図８に示すように、トップパルスの終端部の時間幅τaと、マルチパルスの終端部の時間幅τbと、クールパルスの終端部の時間幅τcとを調整した補償記録パルスデータＤ1が生成されて記録パルス生成部２に供給される。
【０１２２】
そして、記録パルス生成部２が補償記録パルスデータＤ1に基づいて記録パルス信号Ｄ2を生成してレーザ駆動部３に供給し、レーザ駆動部３から半導体レーザＬＤに駆動電流Ｄ3が供給されることで、半導体レーザＬＤからは補償記録パルスデータＤ1に従ったレーザ光が射出される。
【０１２３】
このように本実施形態によれば、半導体レーザＬＤの特性や本光制御回路４００を構成している電子素子の特性が、環境温度など影響や経年変化の影響に伴って変化した場合でも、上記のフィードバック調整によってトップパルスとマルチパルス及びクールパルスの終端部の時間幅τa，τb，τcを調整し、調整した駆動電流Ｄ3によって半導体レーザＬＤの発光時間幅を適切に制御することで、ＤＶＤ-ＲＷに設けられている相変化材料（記録膜）における熱干渉を抑制し、また、形成されるピットを適切な形状に形成することができる。
【０１２４】
また、個体差のある半導体レーザＬＤを用いて書込み装置を製造する場合でも、上記のフィードバック調整によって調整された駆動電流Ｄ3によって各半導体レーザＬＤを駆動することにより、個体差の影響を抑制して、ＤＶＤ-ＲＷに対する録再特性を均一化することができる。そして、品質が均一な書込み装置を提供することが可能となる。
【０１２５】
尚、以上の第１〜第４の実施形態では、典型例としてＤＶＤ-ＲとＤＶＤ-ＲＷに対する録再特性の向上を図るための光制御回路について説明したが、本発明の光制御回路は、情報を光学的に又は光磁気的に記録することが可能な他の情報記録媒体（光記録媒体と光磁気記録媒体）にも適用することができる。
【０１２６】
また、ライトパルスストラテジーに基づいて情報書込みを行う際に、そのストラテジパターンを補正制御する実施形態について説明したが、本発明の光制御回路は、書込み光のパターンを補正制御するために広く適用できるものである。
【０１２７】
また、半導体レーザの駆動電流を補正制御するための実施形態について説明したが、本発明は、半導体レーザに限らず、他の光源を制御するのに適用できるものである。
【０１２８】
【発明の効果】
以上説明したように本発明によれば、情報記録媒体に対して実際に照射される書込み光を検出し、その書込み光の実際の時間的強度変化を示す信号と本来の書き込み情報に対応する記録信号との位相差に基づいて本来の書き込み情報の時間幅の情報を調整することにより補償情報を生成し、その補償情報に基づいて光源を駆動するようにしたので、光源や本光制御回路を構成する各構成要素の特性が、環境温度の変化や経年変化などの影響によって変化するような場合でも、環境温度の変化や経年変化などの影響を受けないように光源を最適駆動することが可能となり、情報記録媒体に対する録再特性の向上を図ることができる。
【０１２９】
また、ライトパルスストラテジーに基づいて情報書き込みを行う場合にも、情報記録媒体に対する録再特性の向上を図ることが可能となる。また、情報記録媒体としてのＤＶＤ-ＲやＤＶＤ-ＲＷに対して、ライトパルスストラテジー制御による録再特性の向上を図ることが可能となる。
【図面の簡単な説明】
【図１】第１の実施形態の光制御回路の構成を示すブロック図である。
【図２】図１に示す光制御回路の動作を説明するためのタイミングチャートである。
【図３】図１に示す光制御回路によって補正処理された信号を示す図である。
【図４】第２の実施形態の光制御回路の構成を示すブロック図である。
【図５】図４に示す光制御回路の動作を説明するためのタイミングチャートである。
【図６】第３の実施形態の光制御回路の構成を示すブロック図である。
【図７】図６に示す光制御回路の動作を説明するためのタイミングチャートである。
【図８】図６に示す光制御回路によって補正処理された信号を示す図である。
【図９】第４の実施形態の光制御回路の構成を示すブロック図である。
【図１０】ＤＶＤ-Ｒのライトパルスストラテジーを示す図である。
【図１１】ＤＶＤ-ＲＷのライトパルスストラテジーを示す図である。
【図１２】従来の半導体レーザの個体差によって生じる問題点を説明するための図である。
【図１３】従来の半導体レーザの温度依存性などによって生じる問題点を説明するための図である。
【符号の説明】
１…記録パルス調整用データ作成部
２…記録パルス生成部
３…レーザ駆動部
４…ピックアップ
５，５ab，５ｃ…２値化回路
６…ストラテジデータ抽出部
７…記録パルス生成部
７ａ…トップパルス生成部
７ｂ…マルチパルス生成部
７ｃ…クールパルス生成部
７aa…トップパルス幅取得部
７bb…マルチパルス幅取得部
７cc…クールパルス幅取得部
８，８ａ，８ｂ，８ｃ…位相比較部
９，９ａ，９ｂ，９ｃ…ローパスフィルタ
１０，１０ａ，１０ｂ，１０ｃ…ゲイン調整部
１１，１１ａ，１１ｂ，１１ｃ…Ａ／Ｄ変換器
１２ａ…トップパルスゲート生成部
１２ｂ…マルチパルスゲート生成部
１２ｃ…クールパルスゲート生成部
１３ａ，１３ｂ，１３ｃ…ＡＮＤ回路
１４ａ，１４ｂ，１４ｃ…パルス幅カウンタ
１５ａ，１５ｂ，１５ｃ…数値比較部
１００，２００，３００，４００…光制御回路
ＤＶＤ-Ｒ…追記型ＤＶＤ
ＤＶＤ-ＲＷ…書込み可能型ＤＶＤ
【図１】
0003730084.tif 000002
【図２】
0003730084.tif 000003
【図３】
0003730084.tif 000004
【図４】
0003730084.tif 000005
【図５】
0003730084.tif 000006
【図６】
0003730084.tif 000007
【図７】
0003730084.tif 000008
【図８】
0003730084.tif 000009
【図９】
0003730084.tif 000010
【図１０】
0003730084.tif 000011
【図１１】
0003730084.tif 000012
【図１２】
0003730084.tif 000013
【図１３】
0003730084.tif 000014